(57)【要約】【課題】  海面処分場内の廃棄物の収容可能量を増やすことができ、また、既設や構築途中の処分場においても、当初計画されていた廃棄物の収容可能量を後から増やすことが可能で且つ高い信頼性を有する、遮水壁の上部コンクリート遮水構造を提供する。【解決手段】  護岸構造体２どうしを遮水継手部２Ａで連結してなる遮水壁３の上部に構築された、上部コンクリート８間の目地部９内の、上部コンクリート８上面の高さから、少なくとも遮水継手部２Ａ上端面の高さまでの範囲Ｈに、アスファルト混合物等の遮水材からなる遮水性目地材１３Ａが設置され、目地部９とこれに対応する遮水継手部２Ａとの間で、上下方向に連続した遮水構造が形成されている。【選択図】  図６
2014104379.tif 000002
【特許請求の範囲】
【請求項１】
護岸法線方向に配列された、複数の護岸構造体で構成される遮水壁の上部に構築され、隣合う護岸構造体間を遮水する遮水継手部と上下に対応する位置に設けられた目地部を介して、相互に複数連結されてなる上部コンクリートの遮水構造であって、
前記目地部内に設置される目地材には、上部コンクリート上面の高さから、少なくとも遮水継手部上端面の高さまでの範囲に、アスファルト混合物等の遮水材が用いられて、目地部とこれに対応する遮水継手部との間で、上下方向に連続した遮水構造が形成されていることを特徴とする護岸遮水壁の上部コンクリート遮水構造。
【請求項２】
護岸法線方向に配列された、複数の護岸構造体で構成される遮水壁の上部に構築され、隣合う護岸構造体間を遮水する遮水継手部と上下に対応する位置に設けられた目地部を介して、相互に複数連結されてなる既設の上部コンクリートの遮水構造であって、
前記既設の上部コンクリート上面の高さから、少なくとも遮水継手部の上端面の高さまでの範囲の目地部内に設置されていた既存の目地材が、アスファルト混合物等の遮水材に置き換えられ、前記目地部とこれに対応する遮水継手部との間で、上下方向に連続した遮水構造が形成されていることを特徴とする護岸遮水壁の上部コンクリート遮水構造。
【請求項３】
上部コンクリート上面の高さから、少なくとも遮水継手部の上端面の高さまでの範囲の目地部の両側の露出面がそれぞれ、護岸法線方向に隣合う上部コンクリートの側壁面間に取り付けられた、目地材流出防止板によって遮蔽されていることを特徴とする請求項１又は２に記載の護岸遮水壁の上部コンクリート遮水構造。
【請求項４】
護岸法線方向に配列された、複数の護岸構造体で構成される遮水壁の上部に構築され、隣合う護岸構造体間を遮水する遮水継手部と上下に対応する位置に設けられた目地部を介して、相互に複数連結されてなる既設の上部コンクリートの遮水構造であって、
前記既設の上部コンクリート上面の高さから、少なくとも遮水継手部の上端面の高さまでの範囲の目地部内に設置されていた既存の目地材が、アスファルト混合物等の遮水材に置き換えられ、前記目地部とこれに対応する遮水継手部との間で、上下方向に連続した遮水構造が形成されているとともに、
前記既設の上部コンクリート上面には、コンクリート製の嵩上げ部が増設され、
護岸法線方向に隣合う、既設の上部コンクリート間と、嵩上げ部間にそれぞれ形成される目地部は上下方向に連続しているとともに、隣合う嵩上げ部間の目地部内には、上部コンクリート間の目地部内に設置された遮水材と上下方向に連続したアスファルト混合物等の遮水材が設置されていることを特徴とする護岸遮水壁の上部コンクリート遮水構造。
【請求項５】
それぞれ隣合う既設の上部コンクリートと嵩上げ部の間に上下に連続して形成される目地部の嵩上げ部上面の高さから少なくとも遮水継手部の上端面の高さまでの範囲の目地部の両側の露出面がそれぞれ、護岸法線方向に隣合う、既設の上部コンクリートと嵩上げ部に亘る側壁面間に取り付けられた、目地材流出防止板によって遮蔽されていることを特徴とする請求４に記載の護岸遮水壁の上部コンクリート遮水構造。
【請求項６】
既設の上部コンクリート上面に増設された嵩上げ部内には、護岸法線方向に貫通し、下方が前記上部コンクリート上面に開放された空間が形成され、前記空間内には、護岸法線方向両側の目地部内に設置された遮水材ならびに上部コンクリート上面との間を遮水するアスファルト混合物等の遮水材が設置されていることを特徴とする請求項４又は５に記載の護岸遮水壁の上部コンクリート遮水構造。
【請求項７】
上部コンクリートの内部には、その上面と、内部に配置された遮水継手部の上端面との間を連通する縦孔が設けられているとともに、前記縦孔内には、アスファルト混合物等の遮水材が設置されて、前記遮水継手部との間で上下方向に連続した遮水構造が形成されていることを特徴とする請求項１乃至６の何れかに記載の護岸遮水壁の上部コンクリート遮水構造。
【発明の詳細な説明】
【技術分野】
【０００１】
本発明は、鋼管矢板や鋼矢板のような護岸構造体で構成される、廃棄物海面処分場等の護岸の鉛直遮水壁において、その上端部に設置される上部コンクリートに施される遮水構造に関し、また、護岸の鉛直遮水壁の構築途中や構築完了後において、処分場内の廃棄物の収容可能量を増やすために、既設の上部コンクリートに施される遮水構造、ならびに、嵩上げ部の増設によって嵩上げされた既設の上部コンクリートに施される遮水構造に関する。
【背景技術】
【０００２】
従来より、廃棄物海面処分場の遮水護岸においては、海底地盤の上に、複数の鋼管矢板等の護岸構造体を護岸法線方向に配列して構成した遮水壁によって、処分場内の廃棄物から滲出した汚染水が外海へ流出しないように、外海と処分場との間を区画している。
【０００３】
このような処分場では、構築後に計画時に予定された廃棄物の収容可能量よりも需要量が増加したために、収容可能量を増やす必要性が生じる場合がある。このような場合において、例えば特許文献１には、既設の遮水壁を構成する鋼管矢板等の上部に上部嵩上げ部を構成する上部コンクリート壁を構築し、その外海側の下面と遮水壁間を、アスファルト混合物の遮水層で遮水するとともに、当該遮水層に連続させて、上部コンクリート壁の外海側の垂直な側面を、新たに許容する廃棄物の堆積レベルまでアスファルト混合物の壁もしくは遮水シートで覆って遮水する工法が提案されている。
【先行技術文献】
【特許文献】
【０００４】
【特許文献１】特許第４９７９２２８公報
【発明の概要】
【発明が解決しようとする課題】
【０００５】
前述した特許文献１に記載されている工法においては、外海側に設置されるケーソン等の護岸本体と処分場側に設置される遮水壁間に裏込み石を充填して形成した裏込層が、遮水壁を構成する鋼管矢板等の上端付近まで堆積されている場合には、前記裏込層の上で、上部コンクリート壁下面の遮水工事を行うことが可能であるが、遮水壁の外海側にこのような裏込層が設けられていない場合には、このような工法を用いることができない問題があった。
【０００６】
また、遮水壁の上に、上部コンクリート壁からなる嵩上げ部を構築する場合、上部コンクリート壁は一般的に、複数の部分が弾性伸縮可能な目地材を充填された目地部を介して相互に連続するように護岸法線方向に配列されて構築される。しかしながら、通常の目地材は遮水性が乏しいため、上部コンクリート壁自体にクラック等の発生が無い場合でも、処分場側の廃棄物から滲出する汚染水が目地部へ浸入する可能性がある。
【０００７】
この点、前記特許文献１に記載されているものにおいては、処分場側から目地部に汚染水が浸入したとしても、上部コンクリート壁の外海側の下面と側面は、アスファルト混合物の遮水層や壁、遮水シート等によって遮水されているので、外海側への汚染水の滲出は阻止されている。
【０００８】
しかしながら、これらのアスファルト混合物の遮水層や壁、遮水シート等の厚さは、上部コンクリート壁の厚さと比較すると極めて薄く、経年の劣化等によって、これらの遮水部分に亀裂等が発生すると、目地部を通過した汚染水が遮水壁の外海側へ漏れ出してしまう虞があった。
【０００９】
そこで、本発明は、前述したような、従来技術における問題点を解消し、海面処分場内の廃棄物の収容可能量を増やすことができ、また、既設や構築途中の処分場においても、当初計画されていた廃棄物の収容可能量を後から増やすことが可能で且つ高い信頼性を有する、遮水壁の上部コンクリート遮水構造を提供することを目的とする。
【課題を解決するための手段】
【００１０】
前記目的を達成するために提供される、本発明の護岸遮水壁の上部コンクリート遮水構造の第１のものは、護岸法線方向に配列された、複数の護岸構造体で構成される遮水壁の上部に構築され、隣合う護岸構造体間を遮水する遮水継手部と上下に対応する位置に設けられた目地部を介して、相互に複数連結されてなる上部コンクリートの遮水構造であって、前記目地部内に設置される目地材には、上部コンクリート上面の高さから、少なくとも遮水継手部上端面の高さまでの範囲に、アスファルト混合物等の遮水材が用いられて、目地部とこれに対応する遮水継手部との間で、上下方向に連続した遮水構造が形成されていることを特徴とするものである。
【００１１】
また、本発明の護岸遮水壁の上部コンクリート遮水構造の第２のものは、護岸法線方向に配列された、複数の護岸構造体で構成される遮水壁の上部に構築され、隣合う護岸構造体間を遮水する遮水継手部と上下に対応する位置に設けられた目地部を介して、相互に複数連結されてなる既設の上部コンクリートの遮水構造であって、前記既設の上部コンクリート上面の高さから、少なくとも遮水継手部の上端面の高さまでの範囲の目地部内に設置されていた既存の目地材が、アスファルト混合物等の遮水材に置き換えられ、前記目地部とこれに対応する遮水継手部との間で、上下方向に連続した遮水構造が形成されていることを特徴とするものである。
【００１２】
前記第１及び第２の発明においては、上部コンクリート上面の高さから、少なくとも遮水継手部の上端面の高さまでの範囲の目地部の両側の露出面がそれぞれ、護岸法線方向に隣合う上部コンクリートの側壁面間に取り付けられた、目地材流出防止板によって遮蔽されていてもよい。
【００１３】
また、本発明の護岸遮水壁の上部コンクリート遮水構造の第３のものは、護岸法線方向に配列された、複数の護岸構造体で構成される遮水壁の上部に構築され、隣合う護岸構造体間を遮水する遮水継手部と上下に対応する位置に設けられた目地部を介して、相互に複数連結されてなる既設の上部コンクリートの遮水構造であって、前記既設の上部コンクリート上面の高さから、少なくとも遮水継手部の上端面の高さまでの範囲の目地部内に設置されていた既存の目地材が、アスファルト混合物等の遮水材に置き換えられ、前記目地部とこれに対応する遮水継手部との間で、上下方向に連続した遮水構造が形成されているとともに、前記既設の上部コンクリート上面には、コンクリート製の嵩上げ部が増設され、護岸法線方向に隣合う、既設の上部コンクリート間と、嵩上げ部間にそれぞれ形成される目地部は上下方向に連続しているとともに、隣合う嵩上げ部間の目地部内には、上部コンクリート間の目地部内に設置された遮水材と上下方向に連続したアスファルト混合物等の遮水材が設置されていることを特徴とするものである。
【００１４】
前記第３の発明においては、それぞれ隣合う既設の上部コンクリートと嵩上げ部の間に上下に連続して形成される目地部の嵩上げ部上面の高さから少なくとも遮水継手部の上端面の高さまでの範囲の目地部の両側の露出面がそれぞれ、護岸法線方向に隣合う、既設の上部コンクリートと嵩上げ部に亘る側壁面間に取り付けられた、目地材流出防止板によって遮蔽されていてもよい。
【００１５】
また、前記第３の発明においては、既設の上部コンクリート上面に増設された嵩上げ部内には、護岸法線方向に貫通し、下方が前記上部コンクリート上面に開放された空間が形成され、前記空間内には、護岸法線方向両側の目地部内に設置された遮水材ならびに上部コンクリート上面との間を遮水するアスファルト混合物等の遮水材が設置されていてもよい。
【００１６】
さらに、前述した第１乃至第３の発明においては、上部コンクリートの内部には、その上面と、内部に配置された遮水継手部の上端面との間を連通する縦孔が設けられているとともに、前記縦孔内には、アスファルト混合物等の遮水材が設置されて、前記遮水継手部との間で上下方向に連続した遮水構造が形成されていてもよい。
【発明の効果】
【００１７】
請求項１に記載された発明に係る護岸遮水壁の上部コンクリート遮水構造によれば、遮水壁の上部に構築される上部コンクリートの上面まで、遮水壁の遮水継手部と上下に連続した遮水構造が形成されているため、処分場内に収容される廃棄物を、最大限上部コンクリートの上面の高さまで堆積することが可能となり、海面処分場内の廃棄物の収容可能量を増やすことができる。
【００１８】
しかも、上部コンクリート間の目地部には、少なくとも遮水継手部上端面より上方部分が、その全幅に亘ってアスファルト混合物等の遮水材が目地材として設置されているため、遮水性に対して高い信頼性が得られる。
【００１９】
請求項２に記載された発明に係る護岸遮水壁の上部コンクリート遮水構造によれば、請求項１に記載された発明の効果に加えてさらに、既に遮水壁に上部コンクリートが構築されている既設や構築途中の海面処分場においても、当初計画されていた廃棄物の収容可能量を後から増やすことが可能となる。
【００２０】
請求項３に記載された発明に係る護岸遮水壁の上部コンクリート遮水構造によれば、目地材として、特に、アスファルトマスチックのような流動性のある遮水材を目地部内に流し込んで設置する場合に、設置時や設置後に、目地部内から外部への遮水材の流出を目地材流出防止板によって防ぐことができる。
【００２１】
請求項４に記載された発明に係る護岸遮水壁の上部コンクリート遮水構造によれば、既に遮水壁に上部コンクリートが構築されている既設や構築途中の海面処分場においても、遮水性を損なうことなく、当初計画されていた廃棄物の収容可能量を、既設の上部コンクリートの上面に所望の高さの嵩上げ部を増設することによって、後から最大限嵩上げ部の上面の高さまで大幅に増やすことが可能となる。
【００２２】
請求項５に記載された発明に係る護岸遮水壁の上部コンクリート遮水構造によれば、特に、アスファルトマスチックのような流動性のある遮水材を、既設の上部コンクリートやその上に増設する嵩上げ部の目地部内に流し込んで設置する場合に、設置時や設置後に、目地部内から外部への遮水材の流出を目地材流出防止板によって防止することができる。
【００２３】
請求項６に記載された発明に係る護岸遮水壁の上部コンクリート遮水構造によれば、請求項４に記載された発明において、既設の上部コンクリート上面とその上に構築された嵩上げ部下面の接合部分に万一漏水が発生した場合においても、嵩上げ部内の空間内に設置されているアスファルト混合物等の遮水材によって、処分場側から外海側への漏水の透過が確実に阻止されるため、遮水性に対する信頼性をより高めることができる。
【００２４】
請求項７に記載された発明に係る護岸遮水壁の上部コンクリート遮水構造によれば、請求項１乃至６の何れかに記載された発明における、上部コンクリートの内部に配置されている遮水壁の遮水継手部と上部コンクリートとの間の遮水性をより高めることができる。
【図面の簡単な説明】
【００２５】
【図１】本発明の第１の実施形態における、廃棄物海面処分場の遮水護岸の全体構造を示す概略図である。
【図２】図１のＡ−Ａ断面を示す図である。
【図３】遮水壁の一部を示す側面図である。
【図４】遮水壁の一部を示す平面図である。
【図５】図４のＡ−Ａ断面を示す図である。
【図６】図４のＢ−Ｂ断面を示す図である。
【図７】図４のＣ−Ｃ断面を示す図である。
【図８】既設の上部コンクリートの目地部の断面図である。
【図９】既存の目地材を一部除去した既設の上部コンクリートの目地部の断面図である。
【図１０】目地材流出防止板を取り付けた上部コンクリートの目地部の断面図である。
【図１１】遮水性目地材を設置した既設の上部コンクリートの目地部の断面図である。
【図１２】本発明の第３の実施形態における、嵩上げ部が構築された既設の上部コンクリートの一部を示す斜視図である。
【図１３】本発明の第３の実施形態における、嵩上げ部が構築された既設の上部コンクリートの一部を示す縦断面図である。
【図１４】図１３のＡ−Ａ断面を示す図である。
【図１５】図１３のＢ−Ｂ断面を示す図である。
【図１６】本発明の第４の実施形態における、新設の上部コンクリートの目地部の遮水構造を示す平面図である。
【図１７】図１６のＡ−Ａ断面を示す図である。
【発明を実施するための形態】
【００２６】
以下、図面に基づいて、本発明の実施形態について説明する。
図１は、本発明の護岸遮水壁の上部コンクリート遮水構造の第１の実施形態における、廃棄物海面処分場の遮水護岸の全体構造を示す概略図である。
【００２７】
同図に示す遮水護岸１は、一般廃棄物や産業廃棄物を受入れ、その後、堆積された廃棄物の上層に覆土Ｍが被せられて埋立地とされる廃棄物海面処分場を外海から区画するものであり、海底地盤Ｇ上に、護岸法線方向に内外２列に設置された、多数の護岸構造体としての鋼管矢板２を有している。
【００２８】
図２に示すように、これらの内外２列の鋼管矢板２のうち、内側（処分場側）の鋼管矢板２どうしは遮水継手部２Ａを介して連結されて遮水壁３を構成している。これらの遮水継手部２Ａは、例えば、特開２００１−２８８７３９号に記載されているような公知の構造のものであり、上下方向にスリットが形成された小径の鋼管どうしを互いのスリットで噛み合わせて、これらの内側に形成される空間内にアスファルト混合物等の止水グラウト２Ｂを施して、鋼管矢板２間の鉛直遮水工を構成している。
【００２９】
また、それぞれの鋼管矢板２と遮水継手部２Ａの下端部は、図１に示す海底Ｇの透水性地盤４のさらに下方の不透水性地盤５に打ち込んであり、また、内外２列に対向する鋼管矢板２どうしは、上端部近傍で水平なタイロッド６で相互に連結してある。
【００３０】
また、前記内外２列の鋼管矢板２の間には、これらの上端付近まで、海底面Ｇの上に中詰土砂７が充填されている。なお、同図中、Ｈ．Ｗ．Ｌ及びＬ．Ｗ．Ｌはそれぞれ、外海の高低の潮位を示し、Ｃ．Ｗ．Ｌは、処分場内の管理水位を示している。
【００３１】
また、内外各列の鋼管矢板２の上端部には、上部コンクリート８，８’が設置されている。これらのうち、外海側の上部コンクリート８’は従来周知の構造であるので、以下においては、内側の鋼管矢板２の列で構成されている遮水壁３に対する上部コンクリート８の取付構造について説明する。
【００３２】
図３は、遮水壁３の部分側面図、図４は、遮水壁３の部分平面図、図５、図６、図７は、図４のＡ−Ａ断面、Ｂ−Ｂ断面、Ｃ−Ｃ断面を示すそれぞれ示す図である。
図３及び図４に示されているように、上部コンクリート８は、護岸法線方向に配列されている、相互に遮水継手部２Ａで連結された鋼管矢板２の上端部に、鋼管矢板２の複数ピッチ間隔で設けられた目地部９を介して相互に複数連結されて設置されている。
【００３３】
図５に示すように、鋼管矢板２の上端部は、埋殺しの吊り型枠１０を用いて打設された上部コンクリート８によって閉塞され、その内部に埋設されている。また、外海側に対向する鋼管矢板２との間に渡されているタイロッド６の端部にはねじ部６Ａが形成されており、上部コンクリート８内に水平方向に設置されて、隣合う鋼管矢板２どうしを連結している連結部材１１にナット１２で締結固定されている。
【００３４】
また、隣合う上部コンクリート８の垂直な壁面間の隙間で形成されている目地部９内には、図６に示すように、上部コンクリート８の上面の高さから、遮水継手部２Ａの上端面の高さまでの範囲Ｈに遮水性目地材１３Ａが設置されている。一方、目地部９内の前記範囲Ｈより下方部分には、前記遮水性目地部材１３Ａと比較して、遮水性は乏しいが安価な一般の伸縮目地材１３Ｂが設置されている。
【００３５】
本実施形態のものにおいては、遮水性目地材１３Ａとして、遮水材であるアスファルトマスチックが使用されていて、目地部９の下部に伸縮目地材１３Ｂを設置後、加熱して流動性を持たせたアスファルトマスチックを上方から目地部９内に流し込んで充填している。
【００３６】
そのため、目地部９の隙間は、伸縮目地材１３Ｂが設置されている下方部分と比較して、遮水性目地材１３Ａとなるアスファルトマスチックが充填される上方部分の方が、充填時の流動性を確保するために、広く形成されている。
【００３７】
また、本実施形態のものにおいては、少なくとも前記範囲Ｈの目地部９の両側の露出面をそれぞれ、護岸法線方向に隣合う上部コンクリート８の側壁面間を跨ぐように取り付けた目地材流出防止板１４によって遮蔽し、遮水性目地材１３Ａとするアスファルトマスチックの目地部９から外部への流出を防止している。
なお、これらの目地材流出防止板１４は、遮水性目地材１３Ａを目地部９内に設置後においても、柔軟なアスファルトマスチックが目地部９の外側へ漏れ出すことを防止する役割を果たしている。
【００３８】
以上に説明したように、本実施形態における遮水構造によれば、上部コンクリート８間の目地部９内に、当該上部コンクリート８の上面の高さから、遮水継手部２Ａの上端面の高さまでの範囲Ｈにおいて、アスファルトマスチックを用いた遮水性目地材１３Ａが設置され、当該遮水性目地材１３Ａの下端面を、遮水継手部２Ａ内部に充填されている止水グラウト２Ｂの上端面と密着させることで、遮水継手部２Ａと目地部９との間で上下方向に連続した遮水構造を形成している。
【００３９】
その結果、上部コンクリート８の上面の高さまでの遮水が可能となるため、処分場内に収容される廃棄物を、遮水継手部２Ａの上端よりも高く、最大限上部コンクリートの上面の高さまで堆積することが可能となり、処分場内の廃棄物の収容可能量を増やすことができる。
なお、前述した遮水性目地材１３Ａは、目地部９内の遮水継手部２Ａの上端面より下方の位置まで、もしくは、伸縮目地材１３Ｂを全く用いずに、目地部９内全体に設置してもよい。
【００４０】
本実施形態のものにおいては、さらに、図７に示すように、目地部９間の上部コンクリート８の内部に埋設されている遮水継手部２Ａと上部コンクリート８間の遮水性をより高めるために、これらの遮水継手部２Ａの真上位置にそれぞれ、上部コンクリート８の上面と、遮水継手部２Ａの上端面との間を連通する縦孔１５が形成され、その内部に、アスファルトマスチックを用いた遮水材１６が充填されている。
【００４１】
前記遮水材１６は、遮水継手部２Ａの上端面でその内側に充填されている止水グラウト２Ｂと密着して、この遮水継手部２Ａと上下方向に連続した遮水構造を形成している。なお、このような縦孔１５とその内部に設ける遮水材１６は、上部コンクリート８と、その内部に埋設されている遮水継手部２Ａとの間の遮水性が十分確保されている場合には省略してもよい。
【００４２】
次に、本発明の護岸遮水壁の上部コンクリート遮水構造の第２の実施形態について説明する。本実施形態のものは、図８に示すような、既設の上部コンクリート８Ａの目地部９Ａを改修して、前述した上部コンクリート８の目地部９と同等な遮水構造を形成するものである。
【００４３】
なお、図８は、前述した第１の実施形態における図６に対応する位置の、既設の上部コンクリート８Ａの断面を示している。なお、図８中、既設の上部コンクリート８Ａと、その目地部９Ａ以外の図６と同じ番号で示している各部材等は、第１の実施形態と共通のものである。
【００４４】
図８に示す改修前の上部コンクリート８Ａの目地部９Ａ内には、遮水性の乏しい一般的な伸縮目地材１３Ｂが目地部９Ａ内全体に設置されている。この目地部９Ａを改修するにあたり、先ず図９に示すように、上部コンクリート８Ａの上面から遮水継手部２Ａの上端面の高さまでの範囲Ｈの目地部９Ａ内の既存の伸縮目地材１３Ｂをはつり作業によって取り除く。
【００４５】
次に、図１０に示すように、伸縮目地材１３Ｂが取り除かれた前記範囲Ｈの目地部９Ａの両側の露出面をそれぞれ、目地材流出防止板１４によって遮蔽する。これらの目地材流出防止板１４は、先に説明した第１の実施形態のものと同様に、護岸法線方向に隣合う上部コンクリート８Ａの両側の側壁面間を跨ぐように、これらの側壁面に固定する。
【００４６】
その後、図１１に示すように、両端をそれぞれ目地材流出防止板１４で遮蔽された目地部９Ａの空間内に、加熱して流動性を持たせたアスファルトマスチックを、遮水性目地材１３Ａとして目地部９Ａの上方から流し込んで充填する。
【００４７】
こうして目地部９Ａ内に設置された遮水性目地材１３Ａの下端面は、遮水継手部２Ａの内側に充填されている止水グラウト２Ｂの上端面と密着し、遮水継手部２Ａと目地部９Ａとの間で上下方向に連続した遮水構造が形成される。
【００４８】
このようにして目地部９Ａが改修された上部コンクリート８Ａは、前述した第１の実施形態における上部コンクリート８と同等な遮水性を確保することができ、既設や構築途中の海面処分場において、当初計画されていた廃棄物の収容可能量を後から増やすことが可能となる。
【００４９】
なお、図示は省略するが、既設の上部コンクリート８Ａにおいても、先に説明した第１の実施形態において、図７で説明したものと同様な縦孔を目地部９Ａ間の上部コンクリート８Ａの内部に埋設されている遮水継手部２Ａの真上位置に形成し、当該縦孔内にアスファルトマスチック等の遮水材を設置してもよい。
【００５０】
次に、図１２は、本発明の第３の実施形態における、嵩上げ部が構築された既設の上部コンクリートの部分斜視図、図１３は、嵩上げ部が構築された既設の上部コンクリートの部分縦断面図、図１４と図１５は、図１３のＡ−Ａ断面とＢ−Ｂ断面をそれぞれ示す断面図である。
【００５１】
これらの図に示す実施形態は、前述した第２の実施形態のものと同様に、既設や構築途中の海面処分場において、当初計画されていた廃棄物の収容可能量を後から増やす必要が生じた場合に対応できるようにしたものであるが、本実施形態のものは、さらに、既設の上部コンクリートの上面を超える高さまで、処分場内の廃棄物を堆積可能としている。
【００５２】
そのため、本実施形態のものにおいては、前述した既設の上部コンクリート８Ａの上面に、これと同一の長さと幅を有するコンクリート製の嵩上げ部17を増設して、上部コンクリート８Ａの高さを嵩上げしている。
【００５３】
嵩上げ部１７の構築に際しては、その前工程として、先に、図９で説明した場合と同様に、上部コンクリート８Ａの上面から遮水継手部２Ａの上端面の高さまでの範囲Ｈの目地部９Ａ内の既存の伸縮目地材１３Ｂを除去しておく。
【００５４】
また、これも先に図７で説明した場合と同様に、縦孔１５を隣合う目地部９Ａ間の上部コンクリート８Ａの内部に埋設されている遮水継手部２Ａの真上位置に削孔する。なお、嵩上げ部１７の構築前に、嵩上げ部１７と上部コンクリート８Ａ間に接合を強固にするために、上部コンクリート８Ａの上面を目荒らしておくことが望ましい。
【００５５】
本実施形態のものにおいては、図１２、図１３、及び図１５から明らかなように、嵩上げ部１７の内部に、護岸法線方向に貫通し、下方が上部コンクリート８Ａの上面に開放されているトンネル状の空間１８が形成されている。また、嵩上げ部１７の上面と、前記空間１８の内部との間を連通する縦孔１９が、上部コンクリート８Ａの縦孔１５の直上位置に形成されている。
【００５６】
また、図１４に示すように、嵩上げ部１７の構築後、それぞれ隣合う上部コンクリート８Ａと嵩上げ部１７の間に上下に連続して形成される目地部９Ａ、９Ｂの、嵩上げ部１７上面の高さから少なくとも遮水継手部２Ａの上端面の高さまでの範囲ｈの両側の露出面はそれぞれ、護岸法線方向に隣合う、上部コンクリート８Ａと嵩上げ部１７に亘る側壁面間に目地材流出防止板１４Ａを取り付けて遮蔽する。
【００５７】
目地材流出板１４Ａを取り付けた後、嵩上げ部１７側の目地部９Ｂの上端もしくは嵩上げ部１７の上面に開口する縦孔１９から、加熱して流動性を持たせたアスファルトマスチックを遮水材１６として流し込む。前記遮水材１６は、目地部９Ａ、９Ｂ内と、空間１８、縦孔１５、縦孔１９の内部にそれぞれ充填され、目地部９Ａ、９Ｂ内に充填された遮水材１６は、遮水性目地材１３Ａとして機能する。
【００５８】
なお、本実施形態のものにおいては、遮水材１６を流し込む際に、嵩上げ部１７の上面に開口する縦孔１９や目地部９Ｂは、空気抜き用の通路としても機能するため、遮水材１６の流し込みを容易に行うことができる。また、空間１８内を満たす遮水材１６によって、既設の上部コンクリート８Ａと嵩上げ部１７間の接合面の遮水性に対する信頼性を高めることができる。
【００５９】
さらに、既設の上部コンクリート８Ａの縦孔１５内に充填された遮水材１６によって、下方の遮水継手部２Ａの内側に充填されている止水グラウト２Ｂが、遮水継手部２Ａの上端面で縦孔１５内の遮水材１６と密着して、上下方向に連続した遮水構造が形成される。
【００６０】
なお、縦孔１５内への遮水材１６の充填は、上部コンクリート８Ａの上面に嵩上げ部１７を構築する前に行うことも可能である。また、先述した第１の実施形態における上部コンクリート８の場合と同様に、前記縦孔１５は、上部コンクリート８Ａとその内部に埋設されている遮水継手部２Ａの間の遮水性が十分確保されている場合には省略してもよい。
【００６１】
次に、図１６は、本発明の第４の実施形態における、新設の上部コンクリートの目地部の遮水構造を示す平面図、図１７は、図１６のＡ−Ａ断面を示す図であって、これらの図に示す実施形態のものにおいては、隣合う上部コンクリート８Ｂ間の目地部９Ｃの幅方向中央部には、内径が当該目地部９Ｂの隙間よりも大きく、上端から下方の遮水継手２Ａの上端面に達する縦孔状の拡張目地部２０が形成されていて、その内部には、アスファルトマスチックを用いた遮水材２１が充填されている。
【００６２】
また、目地部９Ｃ内の、遮水材２１を中央に挟んだ両側には、それぞれシート状の膨潤性止水材からなる、一対の遮水性目地材１３’Ａが設置されている。これらの遮水性目地材１３’Ａは、水分を含ませることによって目地部９Ｃ内で膨潤して遮水作用をもたらすものである。
【００６３】
本実施形態のものにおいては、隣接する上部コンクリート８Ｂの一方を構築した後、目地部９Ｃとなる垂直な壁面に前述した一対の遮水性目地材１３’Ａを配置し、さらに他方の上部コンクリート８Ｂを構築して、その後に遮水材２１であるアスファルトマスチックをこれらの遮水性目地材１３’Ａ間の拡張目地部２０内に充填している。
【００６４】
拡張目地部２０内の遮水材２１は、その両側でそれぞれの遮水性目地材１３’Ａと密着し、且つ下方で遮水継手部２Ａの上端面と密着することによって、目地部９Ｃとこれに対応する遮水継手部２Ａとの間で、上下方向に連続した遮水構造が形成される。
【００６５】
本実施形態のものにおいては、目地部に設置する目地材に、アスファルトマスチック等の流動性の遮水材を使用しないため、目地材流出防止板が不要である利点がある。
また、具体的な実施形態の説明は省略するが、既設の上部コンクリートの上面に嵩上げ部を増設する場合の、嵩上げ部間の目地部においても、同様な遮水構造とすることが可能である。
【００６６】
なお、前述した各実施形態のものにおいては、遮水壁を構成する護岸構造体に、鋼管矢板を用いているが、護岸構造体はこれに限定するものではなく、上部コンクリートを備える鋼製矢板、鉄筋コンクリートケーソン、ハイブリッドケーソン、鋼板セル等であってもよい。
【００６７】
また、上部コンクリート間の目地部に設置する遮水性の目地材は、アスファルトマスチックのようなアスファルト混合物やシート状の膨潤性止水材に限定するものではなく、柔軟性や弾力性があり、目地材として利用可能な遮水材であればよい。
【産業上の利用可能性】
【００６８】
本発明は、海面廃棄物処分場の護岸遮水壁に上部コンクリートを新設する場合の他、上部コンクリートの構築途中又は構築後においても、処分場の廃棄物の収容可能量を増やすために、有効に利用することができる。
【符号の説明】
【００６９】
１               遮水護岸
２               鋼管矢板（護岸構造体）
２Ａ             遮水継手部
２Ｂ              止水グラウト
３               遮水壁
４               透水性地盤
５               不透水性地盤
６               タイロッド
６Ａ              ねじ部
７               中詰め土砂
８、８’、８Ａ、８Ｂ   上部コンクリート
９、９Ａ、９Ｂ、９Ｃ   目地部
１０                吊り型枠
１１                連結部材
１２                ナット
１３Ａ、１３’Ａ       遮水性目地材
１３Ｂ              伸縮目地材
１４、１４Ａ          目地材流出防止板
１５                縦孔
１６                遮水材
１７                嵩上げ部
１８                空間
１９                縦孔
２０                拡張目地部
２１                遮水材
【図１】
2014104379.tif 000003
【図２】
2014104379.tif 000004
【図３】
2014104379.tif 000005
【図４】
2014104379.tif 000006
【図５】
2014104379.tif 000007
【図６】
2014104379.tif 000008
【図７】
2014104379.tif 000009
【図８】
2014104379.tif 000010
【図９】
2014104379.tif 000011
【図１０】
2014104379.tif 000012
【図１１】
2014104379.tif 000013
【図１２】
2014104379.tif 000014
【図１３】
2014104379.tif 000015
【図１４】
2014104379.tif 000016
【図１５】
2014104379.tif 000017
【図１６】
2014104379.tif 000018
【図１７】
2014104379.tif 000019